(57)【要約】  統合オゾン濃度検出器を含む新規のオゾン水生成セル。セルは、セルハウジング内に封入された、ダイヤモンドコーティングされた陽極と表面を金で仕上げた陰極とを分離するナフィオン膜を含み、ナフィオン膜の触媒側は陰極に面する。セルハウジングは、膜によって分離された陰極ハウジング部分及び陽極ハウジング部分を有する。陰極及び陽極は、ニオブ膜の表面への流体の浸透を可能にする穴の配列を有する。陽極からのオゾン水は、ハウジング内に統合された分光光度計に導かれる。分光光度計は、制御回路が安定した目標濃度を維持するために閉ループで利用するオゾン水のオゾン濃度を表す信号を生成する。ハウジング内には、オゾン水が分光光度計に入る前に通過する気泡トラップを統合してオゾン水から気泡を除去することができる。流体は、入力ポートからハウジング内に流入し、陽極及び陰極を介して出口ポートを通じてハウジングから流出することができる。【選択図】図１
2021519682.tif 000002
【特許請求の範囲】
【請求項１】
水のオゾン処理のためのセルであって、
膜によって分離されて、前記膜に水が流れることを可能にする穴の配列をそれぞれが有する陰極及び陽極と、
前記セルを封入し、前記膜によって分離された陰極ハウジング部分及び陽極ハウジング部分を有するハウジングであって、前記陰極ハウジング部分が前記陰極を横切る水の流れを可能にするように構成され、前記陽極ハウジング部分が前記陽極を横切る水の流れを可能にして前記陽極から流れるオゾン水を生成するように構成され、前記陽極からの前記オゾン水の少なくとも一部が前記ハウジング内に統合されたオゾン濃度検出器を通って流れることを可能にするように構成されたハウジングと、
前記ハウジングに結合されて、前記ハウジングの両部分を個別に水が流れることを可能にする入力及び出力ポートと、を備えている、
ことを特徴とするセル。
【請求項２】
前記オゾン濃度検出器は分光光度計である、
請求項１に記載のセル。
【請求項３】
前記オゾン検出器を流れる前記オゾン水から気泡を除去する気泡トラップをさらに備える、
請求項１に記載のセル。
【請求項４】
前記陰極は、金でめっきされたステンレス鋼で形成され、前記陽極は、少なくとも一方の側面がホウ素でドープされたダイヤモンド層でめっきされたニオブで形成され、前記膜はナフィオン膜である、
請求項１に記載のセル。
【請求項５】
前記分光光度計は、前記オゾン水を含むキュベットを通じて光検出器に光を向けるフォトダイオードを含み、前記光検出器は、前記キュベット内の前記オゾン水を通過する前記光を検出する、
請求項２に記載のセル。
【請求項６】
前記フォトダイオードは２５５ｎｍＬＥＤであり、前記光検出器は、前記ＬＥＤの前記波長に適合する、
請求項５に記載のセル。
【請求項７】
前記気泡トラップは、前記陽極からの前記オゾン水の一部分のみから気泡を除去し、前記部分を前記分光光度計に向ける、
請求項３に記載のセル。
【請求項８】
前記キュベットは石英で形成される、
請求項５に記載のセル。
【請求項９】
前記気泡トラップは、フローバッフルを含むチャンバを含み、前記フローバッフルは、前記チャンバを通る前記オゾン水の流れを低速にしてその幅を広げる、
請求項３に記載のセル。
【請求項１０】
前記気泡トラップは、下端部及び上端部を有するＵ字型チャンバを含み、前記オゾン水は、前記陽極から前記Ｕ字型チャネルの第１の側の前記下端部に流入して、前記上端部における出口開口部まで上昇し、ここでオゾン水の一部分が前記Ｕ字型チャネルの第２の側をオリフィスまで下向きに流れ、前記オリフィスは、前記部分を前記分光光度計のキュベットの第１の端部に向ける、
請求項９に記載のセル。
【発明の詳細な説明】
【技術分野】
【０００１】
〔関連出願〕
本出願は、２０１８年３月２９日に出願された米国仮特許出願第６２／６４９，９２８号に対する優先権を主張するものである。
【０００２】
本分野は、液体オゾン生成システムに関し、具体的には、効率的な制御されたオゾン水生成のための統合セルに関する。
【背景技術】
【０００３】
水処理、設備滅菌及び食品滅菌を含むクリーニング及び滅菌には、オゾン水などの液体酸化剤（ｌｉｑｕｉｄ  ｏｘｉｄａｎｔｓ）が広く使用されている。オゾンは、その３つ目の酸素原子が容易に脱離して汚染物質に結合（すなわち、酸化）できるため、強力な酸化剤である。最近の無菌医薬品加工標準（ｓｔｅｒｉｌｅ  ｄｒｕｇ  ｐｒｏｃｅｓｓｉｎｇ  ｓｔａｎｄａｒｄｓ）の変更により、このような液相オゾン滅菌剤を熱及び放射の代用として使用できるようになった。多くの場合、これらの浄化及び滅菌プロセスでは、制御されたオゾン濃度レベルが必要とされる。
【０００４】
既知のオゾン水生成法は、供給水（ｆｅｅｄ  ｗａｔｅｒ）を触媒電極の電解表面に直接接触させてオゾン水に電気分解する直接電気分解を使用する。触媒電極は、陽イオン交換膜と、陽イオン交換膜のそれぞれの表面上に圧力接触（ｉｎ  ｐｒｅｓｓｕｒｅ  ｃｏｎｔａｃｔ）する陽極及び陰極とを含むことができる。供給水供給路から水が供給され、この水が陽極及び陽イオン交換膜に接触し、結果として得られたオゾン水がオゾン水吐出経路を通じて吐出される。多くの場合、これらの浄化及び滅菌プロセスでは、制御されたオゾン濃度レベルが必要とされる。
【発明の概要】
【発明が解決しようとする課題】
【０００５】
これらの既知のオゾン水生成装置は非効率的であり、性能及びオゾン濃度に一貫性がなく、しばしば漏れを生じ、製造及び維持に費用がかかる。従って、統合オゾン検出部を備えた改善されたオゾン水生成セルが必要とされている。
【図面の簡単な説明】
【０００６】
【図１】ある実施形態例による水オゾン発生器セル例（ｅｘａｍｐｌｅ  ｗａｔｅｒ  ｏｚｏｎａｔｏｒ  ｃｅｌｌ）のブロック図である。
【図２Ａ】ある実施形態例によるオゾン発生器セル装置例の分解図である。
【図２Ｂ】図２Ａのオゾン発生器セル例の側面図である。
【図２Ｃ】図２Ａの例の断面図である。
【図３】オゾン発生器セルを利用するシステム例の機能図である。
【図４】図３のシステムの制御回路の実施形態例の機能ブロック図である。
【図５Ａ】統合分光光度計及び気泡トラップを有するオゾン発生器セル例の分解図である。
【図５Ｂ】統合分光光度計及び気泡トラップを有するオゾン発生器セル例の分解図である。
【図５Ｃ】図５Ｂの気泡トラップの実施形態の概略図である。
【図６Ａ】図５Ａ及び図５Ｂに示すような組み立てられたオゾン発生器セルの例の分解側面図である。
【図６Ｂ】図５Ａ及び図５Ｂに示すような組み立てられたオゾン発生器セルの例の分解側面図である。
【図７】統合分光光度計及び気泡トラップを有するオゾン発生器セルを利用するシステム例の機能図である。
【図８Ａ】統合分光光度計及び気泡トラップを有するオゾン発生器セルを利用するオゾン水生成システムの実施形態のフロープロセス例のフロー図である。
【図８Ｂ】統合分光光度計及び気泡トラップを有するオゾン発生器セルを利用するオゾン水生成システムの実施形態のフロープロセス例のフロー図である。
【図９】本明細書で説明する方法のうちのいずれか１つ又は２つ以上を機械に実行させる命令セットを実行又は記憶できるコンピュータシステム例のブロック図である。
【発明を実施するための形態】
【０００７】
本明細書では、制御された水のオゾン処理のための装置及び方法例について説明する。以下の本発明の実施形態例の詳細な説明では、本発明を実施できる具体的な実施形態例を例示として示す、本明細書の一部を成す添付図面を参照する。これらの実施形態については、当業者が本発明主題を実施できるほど十分に詳細に説明するが、他の実施形態を利用することも、本発明主題の範囲から逸脱することなく論理的、機械的、電気的及びその他の変更を行うこともできると理解されたい。
【０００８】
以下の詳細な説明の一部は、コンピュータメモリ内のデータビットに対する演算のアルゴリズム及び記号的表現の観点から提示するものである。これらのアルゴリズム的な記述及び表現は、コンピュータ技術における当業者が自らの研究内容を他の当業者に最も効果的に伝えるために使用する方法である。ここでは、及び一般的に、アルゴリズムとは、望ましい結果をもたらす首尾一貫した一連のステップであると考えられる。これらのステップは、物理量の物理的操作を必要とするものである。これらの量は、必ずというわけではないが、通常は、記憶、転送、合成、比較及び他の形の操作が可能な電気又は磁気信号の形を取る。主に共通使用という理由で、時にはこれらの信号を、ビット、値、要素、記号、文字、用語又は番号などと呼ぶことが便利であると分かっている。しかしながら、これらの及び同様の用語は、全て適切な物理量に関連付けられるべきものであり、これらの量に与えられた便利な表記にすぎないことに留意されたい。以下の説明から明らかなように、特に別途述べていない限り、「処理する（ｐｒｏｃｅｓｓｉｎｇ）」、「算出する（ｃｏｍｐｕｔｉｎｇ）」、「計算する（ｃａｌｃｕｌａｔｉｎｇ）」、「決定する（ｄｅｔｅｒｍｉｎｉｎｇ）」又は「表示する（ｄｉｓｐｌａｙｉｎｇ）」などの用語は、コンピュータシステムのレジスタ及びメモリ内の物理（例えば、電子）量として表されるデータを操作し、コンピュータシステムのメモリ、レジスタ、又は他のこのような情報記憶装置、送信又は表示装置内の物理量として同様に表される他のデータに変形させるコンピュータシステム又は同様のコンピュータ装置の動作及び処理を意味する。
【０００９】
図では、複数の図に出現する同一のコンポーネントを参照するために同じ参照番号を使用することができる。信号及び接続は、同じ参照番号又はラベルによって参照することができ、実際の意味は、説明の文脈におけるその使用法から明らかになるであろう。
【００１０】
様々な実施形態の説明はほんの一例として解釈すべきであり、本発明主題の全ての考えられる例を説明するものではない。現在の又は将来の技術の組み合わせを使用して数多くの代替例を実装することもでき、これらもやはり特許請求の範囲に含まれる。従って、以下の詳細な説明は限定的な意味で捉えるべきではなく、本発明主題の範囲は添付の特許請求の範囲のみによって定められる。
【００１１】
図１は、水オゾン処理セル例１００のブロック図である。セル１００は、図示のように高分子膜１０４（例えば、ナフィオン膜）によって陰極１０２（例えば、ステンレス鋼）を陽極１０６（例えば、ダイヤモンドめっきニオブ（ｄｉａｍｏｎｄ  ｐｌａｔｅｄ  ｎｉｏｂｉｕｍ））から分離した例である。動作中、セル１００は、高分子膜１０４を使用した直接電気分解によって、水を水素（Ｈ2）とＯ2の形態の酸素及びオゾン（Ｏ3）とに分離する。このプロセスでは、水が分離されて、電解セルの陽極側及びセルの陰極側に個別に導入される。陽極側に導入された水は電気分解され、一部がオゾンに変換されて残りの水に混合されることにより、水中で陽極側に０3濃度を構築する。陰極側では、分離されて膜を通じて送られたＨ2が水中に放出される。
【００１２】
このような電解システムを使用してオゾンを生成する利点は、１）固体水和イオン交換膜（ｓｏｌｉｄ  ｈｙｄｒａｔｅｄ  ｉｏｎ  ｅｘｃｈａｎｇｅ  ｍｅｍｂｒａｎｅ）を使用して供給水が解離されているためイオン汚染が存在せず、２）消毒に使用されるプロセス水がオゾン生成用の酸素源であり、従って扱われるシステムに外部汚染物質が導入されず、３）オゾンが形成されると直ぐにプロセス水に溶解して残留汚染物質を生じない点である。
【００１３】
図１の直接水電解セル（ｄｉｒｅｃｔ  ｗａｔｅｒ  ｅｌｅｃｔｒｏｌｙｓｉｓ  ｃｅｌｌ）１００では、１．５１１Ｖよりも高い電圧でオゾンガスが発生して酸素の発生を伴う。電圧を２．０７５Ｖよりも高めることにより、０2ガスが酸化して０3を形成することも予想される。０2発生は０3発生よりも低い電位で生じるので、０2発生の生成速度及び電力消費量は０3発生のものよりもはるかに高い。従って、できるだけ多くのオゾンが生成されるのを確実にするために、陽極は、分解及びオゾン反応電位を上回る過電位を有するべきであり、触媒層は、二原子酸素の形成を抑制してオゾンの形成を助長すべきである。この電解セル設計は、適切な動作パラメータが満たされると、効率的な０3発生法をもたらす。所与のセル１００において適切なレベルのオゾンが生成されるのを確実にするために、パラメータフィードバックを利用することができる。定電流源で駆動されるセルでは、オゾン生成に直接関連する、従って一貫したオゾン濃度をもたらすように制御できるＤＣ電圧が結果として生じるようになる。いくつかの実施形態では、１６ｐｐｍという所望のオゾン濃度を達成することができる。
【００１４】
オゾン生成に対するセルの電流密度関係は、表面積及び印加電流の倍数である。電流効率、従ってオゾン生成は、制御された水温で安定する。いくつかの実施形態では、約１７℃〜２０℃の所望の温度で、崩壊率が発生率に一致する安定したオゾン濃度がもたらされる。セル１００の例では、一定の水流量、最大水温及び発生時間が安定したオゾン発生濃度の一因になる。
【００１５】
電流及び電圧と共に、オゾン発生に影響する要因は他にも複数存在する。これらの要因は、１）セルの流量、２）発生時間、３）水のｐＨ及び浄化、４）総水量、及び５）水温である。セル１００は、オゾン発生に対する可変的影響を大幅に低下させるように、上述した５つの要因を定常状態でモニタして調整することを可能にする。流量は、確実に一定の流量を維持するようにモニタして調整することができる。オゾンを発生させるためのセルの動作時間は、規定の継続時間に設定することができる。水入力は、ｐＨを制御してあらゆる汚染物質を取り除くＵＳＰ滅菌水であることが好ましい。入力水量は、オゾン発生サイクル中に反復可能なレベルが確実に維持されるようにモニタして制御することができる。水温は、所定の閾値を超えないことを確実にするようにモニタして調整することができる。
【００１６】
図２Ａは、図１のセル１００の具体的な実施形態例である新規のオゾン処理セル２００の実施形態の分解図である。セル２００は、膜２０６によって分離された陰極２０４に面する側面２０３上にダイヤモンドコーティングを有する陽極２０２を含む。図２Ａに示す実施形態では、陽極２０２及び陰極２０４の両方が、電極２０２、２０４を貫通する小さな穴の配列２０１、２０５を有する。１つの実施形態では、陽極２０２を、例えばドープダイヤモンドの薄層でめっきされたニオブで構成することができ、陰極２０４を、例えば金でめっきされたステンレス鋼で構成することができる。
【００１７】
陽極２０２は、いずれかの好適な導体とすることができ、ドープダイヤモンドの層でコーティングされたニオブ（又は他の何らかの好適な材料）であることが好ましい。１つの実施形態では、ニオブが約９９％の純度であり、ダイヤモンド層が約２ミクロンの厚みである。陽極２０２の穴の配列２０１は、膜２０６の陽極側に水が接触することを可能にし、膜２０６の多孔性は、配列の穴の間に水が拡散して穴の間の膜２０６の表面を湿らせることを可能にする。１つの実施形態では、陽極２０２の穴の配列２０１が、水に曝される陽極の表面積（すなわち、Ｏリング２１４内の面積）の少なくとも７５％を占める。１つの実施形態では、穴２０１の直径が約１／７００００インチであり、水が膜２０６に十分に接触できるほど大きくすべきである。
【００１８】
いくつかの実施形態では、最初にニオブ陽極の表面を陽極酸化して表面付着を促す細孔を形成し、その後にドープダイヤモンドのめっきを施す。他の実施形態では、最初にニオブ表面にビードブラスト加工を施し、その後にエッチングを行って、ダイヤモンドめっきの表面付着性を高めるのに最適な表面テクスチャを形成することができる。他の方法では、マスクを用いたベース材料上へのニオブのスパッタリングを使用して、付着性を高める表面テクスチャを形成することができる。さらに他の実施形態では、表面積を最大化する細いニオブのメッシュで陽極を形成し、その後にこのメッシュ陽極表面を上述したようないずれかの好適な方法によって調製した後でドープダイヤモンド層をコーティングすることができる。陽極のダイヤモンド層は、ダイヤモンド層が導電性になるほど十分な濃度までドープ（すなわち、ホウ素でドープされる）されることが好ましい。いくつかの実施形態では、ダイヤモンド層の厚みを約２ミクロンとすることができる。
【００１９】
陰極２０４は、流体と過剰に相互作用しない好適な導体（例えば、ステンレス鋼、金、銀など）で構成され、表面を金で仕上げた電極（ｇｏｌｄ  ｓｕｒｆａｃｅｄ  ｅｌｅｃｔｒｏｄｅ）であることが好ましい。いくつかの実施形態では、陰極２０４を、水と鉄との相互作用を排除する金表面を形成するように両側を金でめっきされたステンレス鋼とすることができる。陰極２０４も、図示のような穴の配列２０５を含む。いくつかの実施形態では、配列２０５が、水に曝される陰極の表面積（すなわち、Ｏリング２１２内に封入された面積）の少なくとも７５％を占める。これらの穴は、膜２０６の陰極側に水が接触することを可能にし、膜２０６の多孔性は、穴の間に水が拡散して穴の配列２０５によって覆われた穴の間の表面全体を湿らせることを可能にする。１つの実施形態では、穴２０５の直径が約１／７００００インチである。
【００２０】
図示の実施形態では、陰極２０４及び陽極２０２が、例えばナフィオン膜などの高分子膜２０６によって分離される。この膜は、図示のようにディフューザ側２０８が陰極に面した状態で配向される導電性ディフューザ（ｃｏｎｄｕｃｔｉｖｅ  ｄｉｆｆｕｓｅｒ）を含むことができる。この膜は、陰極に面する側に白金触媒を含むこともできる。図示の実施形態では、陰極２０４と本体要素２１０との間にＯリング２１２（例えば、シリコーン）が配置されて本体要素２１０との間にシールを形成し、陽極２０２と第２のセル本体要素２１６との間に第２のＯリング２１４が配置されて、電極２０４及び２０６の縁部の周囲からの水の漏出を最小化するようにシールを形成する。１つの実施形態では、膜２０６の厚みが約１／１００００インチである。膜２０６は水を吸収することができ、従って縁部の周囲の密封性を高めるために両面接着ボーダー（ｄｏｕｂｌｅ  ｓｉｄｅｄ  ａｄｈｅｓｉｖｅ  ｂｏｒｄｅｒ）２０９を膜２０６に接着することができる。各本体要素２１０、２１６には、Ｏリングを収容するための溝２１１を形成することができる。
【００２１】
１つの実施形態では、本体要素２１０、２１６を、オゾン耐性高密度ポリエチレン（ｏｚｏｎｅ  ｒｅｓｉｓｔａｎｔ  ｈｉｇｈ  ｄｅｎｓｉｔｙ  ｐｏｌｙｅｔｈｙｌｅｎｅ）又はＣＰＶＣで構成することができる。４つのボルト２２０〜２２３、並びにナット２２４〜２２７及びワッシャ２２８、２２９は、本体要素２１０、２１６を一体に保持してエンクロージャを形成する一方で、陰極２０４、陽極２０２及び膜２０６をエンクロージャ内で適所に保持して正しく整列させる。水入口／出口ポート２３０、２３２は、セル２００に対する水の出入りを可能にする。ポート２３０、２３２には、水管材（ｗａｔｅｒ  ｔｕｂｉｎｇ）の接続を可能にする水入口／出口アダプタ２４０、２４２が取り付けられる。各本体要素２１０、２１６の内面には、水がセルを通過する際に陽極２０３及び陰極２０４の表面全体にわたって比較的均一に通過するように水流パターンを強化するための隆起部（ｒｉｄｇｅｓ）２５０を形成することができる。
【００２２】
図２Ｂは、ボルト２２０〜２２３及び入口／出口アダプタ２４０、２４２を含むオゾン処理セル２００の端面図である。図２Ｃは、ボルト２２２、２２３によって一体に保持された本体要素２１０、２１６を示す、図２Ｂの線ＡＡに沿ったセル２００の断面図である。２つの本体要素２１０、２１６間には、Ｏリング２１２、２１４、膜２０６、陰極２０４及び陽極２０２を示す。いくつかの実施形態では、電極への圧力を制御するために、ボルト２２０〜２２３に所望のレベルまでトルクが加えられる。１つの実施形態では、十分な気密性を与える一方で、ナフィオン膜２０６に接触する両側を水が流れて電流がセルを通過できるように、ボルトに約６ｆｔ−ｌｂｓまでのトルクが加えられる。
【００２３】
セル２００の動作中には、セルにＤＣ電圧が付与されて、陰極に負電圧が、陽極に正電圧が付与される。水は、セル２００を通じて圧送され、入口ポート２３２を通じて陰極側に入り込み、陰極２０４の表面全体を流れ、出口ポート２３０を通じてセル２００から流出する。水は、出口アダプタ２４０に接続された管材を介して供給され、出口アダプタ２４２に接続された管材を介して流出する。同様に、水は、入口アダプタ２４３に接続された管材から入口ポート２１５を通じてセル２００の陽極側に入り込み、陽極２０２の表面全体を流れ、出口ポート及び出口アダプタ２４１を介してセル２００から流出する。両側を流れる水は、穴２０１、２０５を通じて膜２０６に接触する。この水流量、水温、セル電圧及び電流のモニタリング及び制御を行って、セル２００内からのオゾン濃度を制御する。
【００２４】
別の実施形態では、オゾン処理セルが、オゾン濃度のモニタリング及び制御を可能にする統合分光光度計（ｉｎｔｅｇｒａｌ  ｓｐｅｃｔｒａｌ  ｐｈｏｔｏｍｅｔｅｒ）を含むことができる。分光光度計部分は、透明チャンバ内を流れる水にＵＶ光を投影してオゾン濃度を測定する。統合分光光度計は、気泡トラップも含む。
【００２５】
図３は、ある実施形態例による、水オゾン処理システム例３００の実施形態の機能図である。図示のようなシステム３００は、陰極側３０４、陽極側３０２及び膜２０６を有するオゾン処理セル２００を含む。セル２００は、図示のような一対の水リザーバ３０６、３０８に結合される。リザーバ３０６、３０８は、必要に応じたサイズとすることができ、例えば１つの実施形態では、それぞれ５０ｍｌ及び２００ｍｌを保持することができる。流体は、陰極経路３１０及び陽極経路３１２を介してセル２００を流れる。陰極経路３１０では、管材経路３１８を介して水素を含む流体を水素側リザーバ３０６に戻すポンプ３１４が、図示のような余剰流体を流すための余剰流体レセプタクル３２２に流体を導くことができる三方弁３２０を通じて流体を駆動する。陽極経路３１２では、ポンプ３１６が、やはり図示のように経路３２８を介してリザーバ３０６に流体を導くことができる三方弁３２６を通じて、管材経路３２４を介してオゾンリザーバ３０８に流体を圧送する。また、図示の実施形態では、リザーバ３０８の底部から経路３３０を介して、三方弁３３２を通じてリザーバ３０８の頂部に流体を導くこともできる。流体源は、リザーバ３３４から経路３３６を介してリザーバ３０８に提供される。リザーバ３３４は、例えば１つの実施形態では２５０ｍｌの水である好適な量の流体を保持するようなサイズとすることができる。リザーバ３０６、３０８内の水位は、水位センサ３４０、３４２によってモニタされ、オゾンリザーバ３０８内の流体温度は、温度センサ３４４を使用してモニタされる。冷却器３５０（例えば、ペルチェ冷却器）は、リザーバ３０８内の流体温度の制御を可能にする。通気孔３５２は、リザーバ３０６、３０８から余剰ガスを排出するための経路を提供する。
【００２６】
オゾンリザーバ３０８からの水は、引き抜かれて滅菌に使用されている間、循環して所望の水中オゾンレベルを維持する。オゾン濃度は、セル２００の電圧及びセル２００を通る電流を制御することによって制御される。制御盤４００（図４を参照）は、セル２００の電流及び電圧、並びに流体温度をモニタしてオゾンの発生を制御することができる。
【００２７】
図４は、図３の例示的な実施形態を制御する制御回路４００の例の機能ブロック図である。制御回路４００は、メモリ４０２と、Ａ／Ｄ変換器４０４と、制御ラッチ４０６と、ＷＤＴ４０８と、弁制御部４１０と、冷却器電源４１２と、セル電源４１４と、ポンプ制御及び電源４１６とを含み、これらはバス４２０を介して通信する。図示のように、回路４００は、リザーバ３０６、３０８（すなわち、センサ３４０、３４２、３４４）、冷却器３５０、及びセル２００に結合される。制御回路４００は、バス４２０を介して結合されたコントローラ４３０によって制御される。
【００２８】
図５Ａ及び図５Ｂは、図１のセル１００の具体的な実施形態例に統合分光光度計（ｉｎｔｅｇｒａｔｅｄ  ｓｐｅｃｔｒｏｐｈｏｔｏｍｅｔｅｒ）及び気泡トラップを追加した新規のオゾン処理セル５００の実施形態の分解図である。セル５００は、２つの本体要素５１０及び５１６を含む。セル５００は、図２Ａ及び図２Ｂのものと同様のオゾン処理セルを含み、膜５０６によって分離された陰極５０４に面する側面５０３上にダイヤモンドコーティングを有する陽極５０２を含む。図５Ａ及び図５Ｂに示す実施形態では、陽極５０２及び陰極５０４の両方が、電極５０２、５０４を貫通する小さな穴の配列５０１、５０５を有する。１つの実施形態では、陽極５０２を、例えばドープダイヤモンドの薄層でめっきされたニオブで構成することができ、陰極５０４を、例えば金でめっきされたステンレス鋼で構成することができる。
【００２９】
陽極５０２は、いずれかの好適な導体とすることができ、ドープダイヤモンドの層でコーティングされたニオブ（又は他の何らかの好適な材料）であることが好ましい。１つの実施形態では、ニオブが約９９％の純度であり、ダイヤモンド層が約２ミクロンの厚みである。陽極５０２の穴の配列５０１は、膜５０６の陽極側に水が接触することを可能にし、膜５０６の多孔性は、配列の穴の間に水が拡散して穴の間の膜５０６の表面を湿らせることを可能にする。１つの実施形態では、陽極５０２の穴の配列５０１が、水に曝される陽極の表面積（すなわち、Ｏリング２１４内の面積）の少なくとも７５％を占める。１つの実施形態では、穴５０１の直径が約１／７００００インチであり、水が膜５０６に十分に接触できるほど大きくすべきである。
【００３０】
いくつかの実施形態では、最初にニオブ陽極の表面を陽極酸化して表面付着を促す細孔を形成し、その後にドープダイヤモンドのめっきを適用する。他の実施形態では、最初にニオブ表面にビードブラスト加工を施し、その後にエッチングを行って、ダイヤモンドめっきの表面付着性を高めるのに最適な表面テクスチャを形成することができる。他の方法では、マスクを用いたベース材料上へのニオブのスパッタリングを使用して、付着性を高める表面テクスチャを形成することができる。さらに他の実施形態では、表面積を最大化する細いニオブのメッシュで陽極を形成し、その後にこのメッシュ陽極表面を上述したようないずれかの好適な方法によって調製した後でドープダイヤモンド層をコーティングすることができる。陽極のダイヤモンド層は、ダイヤモンド層が導電性になるほど十分な濃度までドープ（すなわち、ホウ素でドープされる）されることが好ましい。いくつかの実施形態では、ダイヤモンド層の厚みを約２ミクロンとすることができる。
【００３１】
陰極５０４は、流体と過剰に相互作用しない好適な導体（例えば、ステンレス鋼、金、銀など）で構成され、表面を金で仕上げた電極であることが好ましい。いくつかの実施形態では、陰極５０４を、水と鉄との相互作用を排除する金表面を形成するように両側を金でめっきされたステンレス鋼とすることができる。陰極５０４も、図示のような穴の配列５０５を含む。いくつかの実施形態では、配列５０５が、水に曝される陰極の表面積（すなわち、Ｏリング５１２内に封入された面積）の少なくとも７５％を占める。これらの穴は、膜５０６の陰極側に水が接触することを可能にし、膜５０６の多孔性は、穴の間に水が拡散して穴の配列５０５によって覆われた穴の間の表面全体を湿らせることを可能にする。１つの実施形態では、穴５０５の直径が約１／７００００インチである。
【００３２】
図示の実施形態では、陰極５０４及び陽極５０２が、例えばナフィオン膜などの高分子膜５０６によって分離される。この膜は、図示のようにディフューザ側５０８が陰極に面した状態で配向される導電性ディフューザを含むことができる。この膜は、陰極に面する側に白金触媒を含むこともできる。図示の実施形態では、陰極５０４と本体要素５１０との間にＯリング５１２（例えば、シリコーン）が配置されて本体要素５１０との間にシールを形成し、陽極５０２と第２のセル本体要素５１６との間に第２のＯリング５１４が配置されて、電極５０４及び５０６の縁部の周囲からの水の漏出を最小化するようにシールを形成する。１つの実施形態では、膜５０６の厚みが約１／１００００インチである。膜５０６は水を吸収することができ、従って縁部の周囲の密封性を高めるために両面接着ボーダー５０９を膜５０６に接着することができる。図示のように、各本体要素５１０、５１６には、Ｏリングを収容するための溝５１１ａ、５１１ｂを形成することができる。
【００３３】
１つの実施形態では、本体要素５１０、５１６を、オゾン耐性高密度ポリエチレン又はＣＰＶＣで構成することができる。図６Ａに示すように、ボルト５２０、５２１、並びにナット５２４、５２５及びワッシャ５２８、５２９は、本体要素５１０、５１６を一体に保持してエンクロージャを形成する一方で、陰極５０４、陽極５０２及び膜５０６をエンクロージャ内で適所に保持して正しく整列させる。このエンクロージャは、エンクロージャ内で統合された分光光度計５６０及び気泡トラップ５６２を収容することもできる。水入口／出口ポート５３０、５３２、並びにポート５４１及び５４３は、セル５００に対する水の出入りを可能にする。各本体要素５１０、５１６の内面には、水がセルを通過する際に陽極５０３及び陰極５０４の表面全体にわたって比較的均一に通過するように水流パターンを強化するための隆起部５５０を形成することができる。
【００３４】
図５Ａ〜図５Ｂに示す実施形態は、統合分光光度計５６０及び統合気泡トラップ５６２を含む。分光光度計５６０は、プレート５６４及び透明なキュベット本体５６５によって形成されたキュベット（ｃｕｖｅｔｔｅ）５６６を含む。キュベット本体５６５は、分光光度計５６０内で使用される光に対して透明である。１つの実施形態では、キュベット本体５６５が石英で形成される。気泡トラップ５６２は、プレート５６４によって覆われたＵ字型チャネル５６８を有する本体５１６によって形成される。プレート５６４は、１組のねじ５７２によってチャネル５６８を覆って本体要素５１６に取り付けられる。Ｏリング５７４は、気泡トラップチャネル５６８及びプレート５６４の周囲にシールを形成する。別のＯリング５７６は、プレート５６４の中央開口部５７８と本体要素５１６を貫通する開口部５８０との周囲にシールを提供する。本体要素５１６には、Ｏリング５７４を収容して漏れを最小化するための溝５６１を形成することができる。
【００３５】
図５Ａ及び図５Ｃを参照しながら、気泡トラップ５６２の機能について説明する。統合セル５００の動作中には、オゾン水が陽極から開口部５８１を介して本体要素５１６のチャネル（図示せず）を流れ、開口部５９２から気泡トラップ５６２のチャネル５６８の下端部５８２に流入し、ここで気泡が分光光度計５６０の機能を妨げるのを防ぐようにオゾン水から気泡を除去する。図５Ａ及び図５Ｂ、図６Ａ及び図６Ｂに示す実施形態は、典型的には図６Ａ及び図６Ｂに示すように垂直姿勢で取り付けられる。この結果、気泡トラップは、チャネルの下端部５８２及び上端部５９３を伴って垂直に配向されるようになる。オゾン水は、チャネル５６８の最上部５９３付近の開口部５８７に向かってチャネル５６８を流れて一部がチャネル５６８の他端５８４に流れ、その後にオリフィス５９８及び開口部５９１を通じてキュベット５６６に流入し、キュベット５６６内から開口部５８７を通じて本体要素５１６内のチャネル（図示せず）に流れて出口５３０に至る。オゾン水がキュベット５６４を流れている間に、穴５７８、５８０を通じてフォトダイオード５９４からの光が当てられ、この光がキュベット５６４内の水を通じて、穴５９０の外側に取り付けられた光検出器５９２上に至る。フォトダイオード５９４は、オゾン水によって吸収される周波数の光を発生させる。１つの実施形態では、２５５ｐｍの波長を放出する狭帯域ＬＥＤが、適合する光検出器５９２と共にフォトダイオード５９４として使用される。この光検出器５９２によって、キュベットを流れる水のオゾン濃度を検出する。
【００３６】
分光光度計は、ＵＶ光が通過する既知の液体の体積に依拠するので、気泡トラップは、分光光度計７６０が効果的に機能するために望ましい。液体内の気泡は体積変動を引き起こし、結果として得られる信号にノイズをもたらす。気泡トラップ５６２は、図５Ｃの矢印５９７によって示すような大部分の水流がチャネル５８２を出口ポート５３０まで真っ直ぐに上り詰めて気泡をオゾンリザーバの外に運び出し、ここで気泡が表面及び大気中に上昇することを可能にする。トラップは、液体を低速にするオリフィス５９８及びフローバッフル５８８、５８９を含む狭い側流を使用する。１つの実施形態では、この側流が流体の約１５％であり、約１．５インチ／秒〜０．３インチ／秒遅くなる。これにより、気泡が重力に逆らって底部のオリフィス５９８へと下方に流れるのではなく、トラップの最上部５９３に上昇して留まるようになる。バッフル５８８、５８９は、流れの幅を広げて均一にして、気泡を引き下ろす高速領域を減少させ、バッフル５８８は、トラップの最上部にわたって、気泡を開口部５８７内及び出口ポート５３０に運ぶのに役立つ若干の逆流を形成する。気泡を含まない水の部分は、オリフィス５９８を通過して開口部５９１からキュベット５６６に流入し、ここで水中に通されたＵＶ光を光検出器５９２が検出してオゾン濃度を測定する。気泡トラップから出る液体が、キュベット５６６から液体を真空吸引（ｖａｃｕｕｍ）するのに役立つベンチュリを形成すると、水が最上部に引っ張られ、従って図５Ｃの矢印５９９によって示すように水がキュベット５６６を通過して開口部５８７に至り、ここで残りの流体に加わって出口５３０に進み、オゾンリザーバ上に至る。
【００３７】
図６Ａは、ハウジング要素５１０、５１６の組み立て方法を示す、ボルト５２０、５２１を用いたオゾン処理セル５００の部分的組み立て端面図である。図６Ｂは、ボルト５２０、５２１によって一体に保持された本体要素５１０、５１６を示す、セル５００の組み立て図である。この図では、セル５００及びシステムの動作を制御する、回路基板５２２及び回路基板５２３を含む制御回路が、２つの本体要素５１０、５１６に取り付けられる。回路基板５２３は、図示のように本体要素５１６に取り付けられ、キュベット５６６を通じてＵＶ光を導く穴５８０と整列するＬＥＤ５９４を含む。回路基板５２２は、本体要素５１０に取り付けられ、キュベット及びその内部のオゾン水を通過するＵＶ光を検出する穴５９０と整列してキュベット５６６内の水のオゾン濃度を測定する光検出器５９２を含む。オゾンの濃度が高ければ高いほど多くのＵＶ光が吸収されるので、オゾン濃度は、オゾン水を通過するＵＶ光の量によって求められる。回路基板コネクタ端子５２６、５２７は、回路基板５２３を陰極５０４及び陽極５０２に接続する。１つの実施形態では、十分な気密性を与える一方で、ナフィオン膜２０６に接触する両側を水が流れて電流がセルを通過できるように、ボルト５２０、５２１に約６ｆｔ−ｌｂｓまでのトルクが加えられる。
【００３８】
セル５００の動作中には、セルにＤＣ電圧が付与されて、陰極に負電圧が、陽極に正電圧が付与される。図２Ａのセル２００と同様に、水はセル５００を通じて圧送され、入口ポート５３２を通じて陰極側に入り込み、陰極５０４の表面全体を流れ、出口ポート５３０を通じてセル５００から流出する。同様に、水は、入口ポート５４１を通じてセル５００の陽極側に入り込み、陽極５０２の表面全体を流れ、出口ポート５４３を介してセル５００から流出する。両側を流れる水は、穴５０１、５０５を通じて膜５０６に接触する。この水流量、水温、セル電圧及び電流のモニタリング及び制御を行って、セル５００内からのオゾン濃度を制御する。
【００３９】
図７は、水オゾン処理システム７００の実施形態例の機能図である。図示のシステム７００は、陰極側７０４、陽極側７０２及び膜７０６を有する（図５Ａ〜図６Ｂに示すような）オゾン処理セル５００を含む。セル５００は、図示のような一対の水リザーバ７０６、７０８に結合される。流体は、陰極経路７１０及び陽極経路７１２を介してセル５００を流れる。陰極経路７１０では、管材経路７１８を介して水素を含む流体を水素側リザーバ７０６に戻すポンプ７１４が、図示のような余剰流体を流すための余剰流体レセプタクル７２２に流体を導くことができる三方弁７２０を通じて流体を駆動する。陽極経路７１２では、ポンプ７１６が管材経路７２４を介して気泡トラップ７６２に流体を圧送し、分光光度計７６０のキュベット７６４を通じてオゾン濃度検出が行われた後に、やはり図示のように経路７２８を介して水素リザーバ７０６に流体を導くことができる三方弁７２６を通じてオゾンリザーバ７０８に圧送する。溶存オゾンを含む流体は、外部システムで使用されるように、オゾンリザーバ７０８の底部から経路７３０を介して、三方弁７３２を通じて経路７３１上で外部に供給される。出力として無菌空気が必要な場合には、オゾンリザーバ７０８の最上部から上部経路７０７を介して、三方弁７３２を通じて経路７３１上で外部に引き出すことができる。流体源は、リザーバ７３４から経路７３６を介してリザーバ７０８に提供される。リザーバ７３４は、例えば１つの実施形態では２５０ｍｌの水である好適な量の流体を保持するようなサイズとすることができる。リザーバ７０６、７０８内の水位は、水位センサ７４０、７４２によってモニタされ、オゾンリザーバ７０８内の流体温度は、温度センサ７４４を使用してモニタされる。冷却器７５０（例えば、ペルチェ冷却器）は、リザーバ７０８内の流体温度の制御を可能にする。通気孔７５２は、リザーバ７０６、７０８から余剰ガスを排出するための経路を提供する。
【００４０】
オゾンリザーバ７０８からの水は、引き抜かれて滅菌に使用されている間、循環して所望の水中オゾンレベルを維持する。オゾン濃度は、分光光度計７６０によるオゾン濃度の検出に応答して、セル７００の電圧及びセル７００を通る電流を制御することによって制御される。制御盤４００（図４を参照）は、セル５００の電流及び電圧、並びに流体温度を制御してオゾンの発生を制御することができる。
【００４１】
図８Ａ及び図８Ｂは、図４及び図９に示すような制御回路によって制御される、図６Ｂに示すような回路基板５２２及び５２３上に含まれる図７のオゾン発生システムの実施形態の一定量のオゾン水発生の１つの複合サイクルのプロセス例のフロー図である。このプロセスはブロック８０２から開始して、ブロック８０４に示すようにシステムのパージを開始し、この期間中に循環弁７２０、７２６が開き、所定の期間（例えば、７５秒）にわたってポンプが稼動して既存の流体をシステムから流し出す。次に、ブロック８０６において、タンク温度センサ７４４及び基板温度センサ（図示せず）の機能チェックを実行して、センサが許容可能な温度差（例えば、±１２℃）の範囲内で正しく動作しているかどうかを判定し、次にブロック８０８に示すように、水なしでタンク温度をチェックして、所望の閾値（例えば、２７℃）を上回っているかどうかを判定する。いずれかの試験に合格しなかった場合には、ブロック８０７、８０９に示すように異常メッセージを生成することができる。ブロック８１０に示すように、冷水器７５０を起動して目標温度（例えば、１７．５℃）を設定する。その後、弁７３６を開くことによって水源７３４からシステム７００内に水を導入してリザーバ７０６、７０８を満たし始める。水がオゾン濃度センサ７４２まで上昇するのを待った後に、ブロック８１２に示すように循環ポンプ７１４及び７１６を起動し、所定の時間（例えば、７５秒）にわたって稼動させる。その後に水温をチェックして所望の最大値（例えば、２０℃）を下回っていることを確認し、最大値を上回っている場合には、ブロック８１４、８１５に示すように異常メッセージを生成することができる。水温がＯＫであれば、ブロック８１６に示すように所望の最短時間（例えば、３分）にわたって膜７０３を水和させ、水位センサをチェックして漏れが存在しないことを確実にする。漏れが検出された場合、又は流体が検出されない場合には、ブロック８１７に示すようにデフォルトメッセージが生成される。
【００４２】
その後、セル５００を起動し、電流の閉ループ制御を使用して、分光光度計７６０によって測定される所定のオゾン濃度（例えば、２０．５ｐｐｍ）を目標とすることによって、ブロック８２０に示すようにオゾンを発生させる。次に、ブロック８２２に示すように全てのパラメータをチェックして、全てのパラメータが許容可能な限度内であるかどうかを判定し、そうでない場合にはブロック８２３において異常メッセージを生成する。１つの実施形態では、臨界パラメータの許容可能なパラメータ範囲を、１３〜２４℃の流体温度、１３〜４０℃の周囲温度、１〜１．５Ａｍｐのセル電流、３０〜８０Ｖのセル電圧、１６〜２４のセルｐｐｍ、２００〜５００ｒｐｍのポンプｒｐｍ、及び０．０３〜０．２５ａｍｐのポンプ電流とすることができる。その後、分光光度計７６０のオゾン濃度測定値出力を使用して、セル電流の閉ループ制御を用いて２０．５ｐｐｍのオゾン濃度を目標とすることによって、ブロック８２４に示すようにオゾン発生を維持することができる。この時間中に弁７３２を開いてオゾン水を出力ライン７３１に引き込むことにより、医療設備の滅菌などのオゾン水の外部使用を可能にすることができる。上述したシステムの進行中の臨界パラメータのモニタリングは、ブロック８２６に示すように動作中にも継続し、ブロック８２７においていずれかのパラメータが所望の範囲（例えば、１３〜２４℃の流体温度、１〜１．５ａｍｐのセル電流、３．０〜８．０ｖのセル電圧、１６〜２４のセルｐｐｍ、２００〜５００ｒｐｍのポンプｒｐｍ、０．０３〜０．２５ａｍｐのポンプ電流）から外れた場合には異常メッセージが生成される。ブロック８２８に示すように、下側オゾンタンク液体水位センサ７４３をチェックして、もはやタンク内に液体が存在しないことを確認することによってサイクルの正常な終了（すなわち、例えば２５０ｍｌの所望の量のオゾン水が引き出されたこと）を検証し、正しい量の流体が引き出されていなければ、ブロック８２９に示すように異常メッセージが生成されてサイクルの失敗にフラグが立てられる。サイクルが完了すると、ブロック８３０に示すように、水素タンクをクリーニングするために所定の時間（例えば、３０秒）にわたってクロスオーバー弁７２６が作動してオゾン水が水素タンク内に圧送され、その後にシステムをパージするために、所定の時間（例えば、３０秒）にわたってクロスオーバー弁７２６がシステム内で水を循環させるように切り換わる。その後、システムはブロック８０２のスタンバイに戻る。
【００４３】
図９は、本明細書で説明した方法、プロセス、動作又は方法論のうちのいずれか１つ又は２つ以上をシステムに実行させる命令セットを実行できるコンピュータシステム９００の形態の機械の実施形態例のブロック図である。例えば、コントローラ４３０は、１又は２以上のコンピュータシステム９００の機能を含むことができる。
【００４４】
図９の説明は、本発明の態様を実装できる好適なコンピュータハードウェア及び好適なコンピュータ環境の簡単な概要を示すように意図するものである。いくつかの実施形態では、本発明主題の態様を、コンピュータによって実行されるコンピュータ実行可能命令という一般的文脈で示す。
【００４５】
当業者であれば、本開示の態様は、ハンドヘルド装置、マルチプロセッサシステム、マイクロプロセッサベースの又はプログラム可能な消費者向け電子機器、スマートフォン、ネットワークＰＣ、ミニコンピュータ及びメインフレームコンピュータなどを含む他のコンピュータシステム構成と共に実施することもできると理解するであろう。本開示の態様は、通信ネットワークを通じて結合されたＩ／Ｏ遠隔処理装置によってタスクが実行される分散コンピュータ環境において実施することもできる。分散コンピュータ環境では、局所及び遠隔メモリ記憶装置の両方にプログラムモジュールを配置することができる。
【００４６】
ある実施形態例では、機械がスタンドアロン型装置として動作し、又は他の機械に接続（例えば、ネットワーク接続）することができる。ネットワーク展開では、機械が、サーバ−クライアントネットワーク環境においてサーバ又はクライアント機械という資格で、又はピアツーピア（又は分散）ネットワーク環境におけるピアマシンとして動作することができる。この機械は、サーバコンピュータ、クライアントコンピュータ、パーソナルコンピュータ（ＰＣ）、タブレットＰＣ、埋め込みコントローラ、携帯電話機、ネットワークルータ、又はその機械が取るべき行動を指定する（順次又はその他の）命令セットを実行できるいずれかの機械とすることができる。さらに、単一の機械しか図示していないが、「機械」という用語は、本明細書で説明した方法のうちのいずれか１つ又は２つ以上を実行するための命令セット（又は複数の命令セット）を個別に又は協働で実行するいずれかの一群の機械も含むと解釈されたい。
【００４７】
コンピュータシステム例９００は、プロセッサ９０２（例えば、中央処理装置（ＣＰＵ）、グラフィックプロセッシングユニット（ＧＰＵ）又はこれらの両方）と、メインメモリ９０４と、スタティックメモリ９０６とを含むことができ、これらはバス９０８を介して互いに通信する。コンピュータシステム９００は、ビデオディスプレイユニット９１０（例えば、液晶ディスプレイ（ＬＣＤ）プラズマ又はブラウン管（ＣＲＴ））をさらに含む。コンピュータシステム９００は、英数字入力装置９１２（例えば、キーボード）、カーソル制御装置９１４（例えば、マウス）、ドライブユニット９１６、信号発生装置９１８（例えば、スピーカ）、及びネットワークインターフェイス装置９２０も含む。
【００４８】
ディスクドライブユニット９１６は、本明細書で説明した方法又は機能のうちのいずれか１つ又は２つ以上を具体化する１又は２以上の命令セット（例えば、ソフトウェア９２４）を記憶したコンピュータ可読媒体９２２を含む。メインメモリ９０４及び／又はプロセッサ９０２内には、コンピュータシステム９００による実行中に完全に又は少なくとも部分的にソフトウェア９２４が存在することもでき、メインメモリ９０４及びプロセッサ９０２もコンピュータ可読媒体を構成する。さらに、ソフトウェア９２４は、ネットワークインターフェイス装置９２０を通じてネットワーク９２６を介して送受信することもできる。
【００４９】
実施形態例には、コンピュータ可読媒体９２２を単一の媒体として示しているが、「コンピュータ可読媒体」という用語は、１又は２以上の命令セットを記憶する単一の媒体又は複数の媒体（例えば、集中又は分散データベース及び／又は関連するキャッシュ及びサーバ）を含むと解釈されたい。また、「コンピュータ可読媒体」という用語は、機械によって実行される命令セットを記憶又は符号化できるとともに、本発明の方法のうちのいずれか１つ又は２つ以上を機械に実行させるいずれかの媒体も含むと解釈されたい。従って、「コンピュータ可読媒体」という用語は、限定するわけではないが、一時的及び非一時的媒体を含むと解釈されたい。非一時的媒体の例としては、以下に限定するわけではないが、ソリッドステートメモリ、光学媒体及び磁気媒体が挙げられる。いくつかの実施形態では、コンピュータ可読媒体が非一時的コンピュータ可読媒体である。
【００５０】
本明細書で使用する「〜に基づいて」又は「〜を使用して」という用語は、明確に列挙するものを上回る他の要素を反映することができる制約のない（ｏｐｅｎ−ｅｎｄｅｄ）用語を反映するものである。
【００５１】
本明細書では、いくつかのシステム、装置、アプリケーション又はプロセスを、複数のモジュールを含むものとして説明した。モジュールは、ソフトウェア、ハードウェア又はこれらの組み合わせで示すことができる異なる機能の単位とすることができる。モジュールの機能のいずれかの部分がソフトウェアを通じて実行される場合、このモジュールはコンピュータ可読媒体を含む。モジュールは、通信可能に結合されたものとみなすことができる。
【００５２】
本発明主題は、多くの置換が考えられる様々な異なる実施形態で表すことができる。具体的な実施形態例を参照しながら本発明の実施形態を説明したが、本発明の実施形態の幅広い趣旨及び範囲から逸脱することなくこれらの実施形態に様々な修正及び変更を行えることが明らかであろう。従って、本明細書及び図面は、限定的な意味ではなく例示的な意味で捉えるべきである。
【００５３】
本明細書では、このような発明主題の実施形態を実際に１つよりも多く開示している場合、これらの実施形態を、本出願の範囲をあらゆる単一の発明又は発明概念に自発的に限定することを意図せずに、単に便宜上「発明」という用語によって個別に又はまとめて参照することができる。
【００５４】
上記の説明から明らかなように、本発明主題のいくつかの態様は、本明細書に示す実施例の特定の詳細によって限定されるものではなく、従って当業者には他の修正及び用途又はその同等物が思い浮かぶと考えられる。従って、特許請求の範囲は、本発明主題の趣旨及び範囲から逸脱しない全てのこのような修正及び用途を対象にすべきであることが意図される。従って、本発明主題は、以下の特許請求の範囲及びその同等物のみによって限定されるべきであることが明白に意図される。
【００５５】
本明細書で説明した方法は、説明した順序又はいずれかの特定の順序で実行する必要はない。さらに、本明細書で明らかにした方法に関して説明した様々な動作は、連続して又は同時に実行することができる。
【００５６】
本開示の要約書は、技術的開示の性質を読者が素早く確認できるようにする要約書を必要とする米国特許法施行規則第１．７２条（ｂ）に準拠するように提供するものである。この要約書は、特許請求の範囲又はその意味を解釈又は限定するために使用されるものではないという了解の下で提出するものでもある。また、上記の詳細な説明では、本開示を簡素化する目的で様々な特徴を単一の実施形態にまとめていることが分かる。本開示の方法は、請求項に記載する実施形態が、各請求項に明示的に記載する特徴よりも多くの特徴を必要とするという意図を反映したものであると解釈すべきではない。むしろ、以下の特許請求の範囲に反映されるように、発明主題は、開示した単一の実施形態の全ての特徴よりも少ないもので成立することができる。従って、以下の特許請求の範囲は、各請求項が単独の実施形態として自立した状態で詳細な説明に組み込まれる。
【図１】
2021519682.tif 000003
【図２Ａ】
2021519682.tif 000004
【図２Ｂ】
2021519682.tif 000005
【図２Ｃ】
2021519682.tif 000006
【図３】
2021519682.tif 000007
【図４】
2021519682.tif 000008
【図５Ａ】
2021519682.tif 000009
【図５Ｂ】
2021519682.tif 000010
【図５Ｃ】
2021519682.tif 000011
【図６Ａ】
2021519682.tif 000012
【図６Ｂ】
2021519682.tif 000013
【図７】
2021519682.tif 000014
【図８Ａ】
2021519682.tif 000015
【図８Ｂ】
2021519682.tif 000016
【図９】
2021519682.tif 000017
【国際調査報告】
2021519682.tif 000018